(57)【要約】【課題】ロードセルによる測定精度が良好なコンバインを提供する。【解決手段】穀粒を貯留する穀粒タンク６と、機体フレーム１０に支持されると共に、穀粒タンク６の重量を測定するロードセル２０と、穀粒タンク６を覆うカバー部材８と、を備え、カバー部材８は、機体フレーム１０に支持されない状態で、穀粒タンク６に支持されている。【選択図】図３
2019122332.tif 000002
【特許請求の範囲】
【請求項１】
穀粒を貯留する穀粒タンクと、
機体フレームに支持されると共に、前記穀粒タンクの重量を測定するロードセルと、
前記穀粒タンクを覆うカバー部材と、を備え、
前記カバー部材は、前記機体フレームに支持されない状態で、前記穀粒タンクに支持されているコンバイン。
【請求項２】
前記カバー部材は、複数の分割カバー体を有しており、
前記複数の分割カバー体には、着脱可能な前記分割カバー体である着脱カバー体と、前記穀粒タンクに固定された前記分割カバー体である固定カバー体と、が含まれており、
前記着脱カバー体は、前記固定カバー体に支持されている請求項１に記載のコンバイン。
【請求項３】
前記着脱カバー体は、前記穀粒タンク及び前記ロードセルの機体左右方向外側に位置しており、
前記着脱カバー体における前端部及び後端部は、前記穀粒タンクまたは前記固定カバー体に支持されており、
前記着脱カバー体における中間部を、前記着脱カバー体が前記機体フレームに対して上下方向に自由移動する状態で、前記着脱カバー体の機体左右方向の移動が規制されるように、前記機体フレームに係止する係止機構を備えている請求項２に記載のコンバイン。
【発明の詳細な説明】
【技術分野】
【０００１】
本発明は、穀粒を貯留する穀粒タンクを備えるコンバインに関する。
【背景技術】
【０００２】
上記のようなコンバインとして、例えば、特許文献１に記載のものが既に知られている。このコンバインは、穀粒タンクの重量を測定するロードセルを備えている。そして、このロードセルは、機体フレームに支持されている。
【先行技術文献】
【特許文献】
【０００３】
【特許文献１】特開２０１４−１８７９０９号公報
【発明の概要】
【発明が解決しようとする課題】
【０００４】
特許文献１に記載のコンバインにおいて、穀粒タンクを覆うカバー部材を設けることが考えられる。
【０００５】
ここで、このカバー部材が穀粒タンク及び機体フレームに支持される構成である場合、穀粒タンクの荷重が、カバー部材を介して機体フレームに作用する事態が想定される。その結果、穀粒タンクの荷重が、ロードセルと機体フレームとに分散して作用することとなる。これにより、ロードセルによる測定精度が低くなる事態が想定される。
【０００６】
本発明の目的は、ロードセルによる測定精度が良好なコンバインを提供することである。
【課題を解決するための手段】
【０００７】
本発明の特徴は、
穀粒を貯留する穀粒タンクと、
機体フレームに支持されると共に、前記穀粒タンクの重量を測定するロードセルと、
前記穀粒タンクを覆うカバー部材と、を備え、
前記カバー部材は、前記機体フレームに支持されない状態で、前記穀粒タンクに支持されていることにある。
【０００８】
本発明であれば、穀粒タンクの荷重が、カバー部材を介して機体フレームに作用する事態を回避できる。これにより、ロードセルによる測定精度が良好となる。
【０００９】
さらに、本発明において、
前記カバー部材は、複数の分割カバー体を有しており、
前記複数の分割カバー体には、着脱可能な前記分割カバー体である着脱カバー体と、前記穀粒タンクに固定された前記分割カバー体である固定カバー体と、が含まれており、
前記着脱カバー体は、前記固定カバー体に支持されていると好適である。
【００１０】
カバー部材が１つのカバー体により構成されている場合、コンバインにおいてカバー部材により覆われた部分のメンテナンスを行う際には、カバー部材の全体を取り外す必要がある。これにより、メンテナンス作業が煩雑になりがちである。
【００１１】
ここで、上記の構成によれば、コンバインにおいて着脱カバー体により覆われた部分のメンテナンスを行う際には、カバー部材のうちの着脱カバー体を取り外すだけで、メンテナンスを行うことが可能となる。これにより、メンテナンス作業が容易になりやすい。
【００１２】
さらに、本発明において、
前記着脱カバー体は、前記穀粒タンク及び前記ロードセルの機体左右方向外側に位置しており、
前記着脱カバー体における前端部及び後端部は、前記穀粒タンクまたは前記固定カバー体に支持されており、
前記着脱カバー体における中間部を、前記着脱カバー体が前記機体フレームに対して上下方向に自由移動する状態で、前記着脱カバー体の機体左右方向の移動が規制されるように、前記機体フレームに係止する係止機構を備えていると好適である。
【００１３】
この構成によれば、着脱カバー体における前端部及び後端部が、穀粒タンクまたは固定カバー体に支持される。これにより、着脱カバー体が安定的に支持される。
【００１４】
しかも、この構成によれば、係止機構によって、着脱カバー体の機体左右方向の移動が規制される。これにより、着脱カバー体が意図せず機体左右方向に外れてしまう事態を防止できる。
【図面の簡単な説明】
【００１５】
【図１】コンバインの右側面図である。
【図２】コンバインの平面図である。
【図３】カバー部材等の構成を示す右側面図である。
【図４】着脱カバー体の支持構造を示す正面図である。
【図５】着脱カバー体の支持構造を示す正面図である。
【図６】着脱カバー体の支持構造を示す正面図である。
【図７】カバー部材等の構成を示す分解斜視図である。
【発明を実施するための形態】
【００１６】
本発明を実施するための形態について、図面に基づき説明する。尚、以下の説明においては、特に断りがない限り、図１から図３に示す矢印Ｆの方向を「前」、矢印Ｂの方向を「後」として、図２、図４から図６に示す矢印Ｌの方向を「左」、矢印Ｒの方向を「右」とする。また、図１、図３から図６に示す矢印Ｕの方向を「上」、矢印Ｄの方向を「下」とする。
【００１７】
尚、本明細書において、「支持されている」という語句は、部材を介することなく直接的に支えられている状態を意味している。
【００１８】
〔コンバインの全体構成〕
図１及び図２に示すように、普通型のコンバイン１は、刈取部２と、フィーダ３と、運転部４と、脱穀装置５と、穀粒タンク６と、穀粒排出装置７と、を備えている。
【００１９】
刈取部２は、コンバイン１の機体前部に設けられている。そして、刈取部２の後側に、フィーダ３及び運転部４が設けられている。運転部４は、運転座席４１を有している。
【００２０】
脱穀装置５は、フィーダ３の後方に位置している。また、穀粒タンク６は、脱穀装置５の右側に位置している。
【００２１】
刈取部２は、圃場の植立穀稈を刈り取る。また、フィーダ３は、刈取穀稈を脱穀装置５へ搬送する。脱穀装置５において、刈取穀稈は脱穀処理される。脱穀処理により得られた穀粒は、穀粒タンク６に貯留される。穀粒タンク６に貯留された穀粒は、必要に応じて、穀粒排出装置７によって機外に排出される。
【００２２】
このように、コンバイン１は、穀粒を貯留する穀粒タンク６を備えている。
【００２３】
また、図１に示すように、コンバイン１の下部には、クローラ式の走行装置ＴＲが設けられている。また、コンバイン１は、エンジンＥを備えている。走行装置ＴＲは、エンジンＥからの動力により駆動する。そして、コンバイン１は、走行装置ＴＲによって自走可能である。
【００２４】
〔カバー部材に関する構成〕
図３に示すように、穀粒タンク６の下側には、機体フレーム１０が設けられている。また、コンバイン１は、ロードセル２０を備えている。ロードセル２０は、機体フレーム１０に支持されている。
【００２５】
図３及び図４に示すように、穀粒タンク６の底部は、ロードセル２０に接している。そして、ロードセル２０には、穀粒タンク６の荷重が作用するように構成されている。ロードセル２０は、穀粒タンク６から作用する荷重に基づいて、穀粒タンク６の重量を測定する。
【００２６】
このように、コンバイン１は、機体フレーム１０に支持されると共に、穀粒タンク６の重量を測定するロードセル２０を備えている。
【００２７】
また、図３から図７に示すように、穀粒タンク６は、右壁部６１、前壁部６２、前下壁部６３、左壁部６４を有している。
【００２８】
また、図４及び図５に示すように、穀粒タンク６の内部における底部には、底部スクリュー６Ｂが設けられている。底部スクリュー６Ｂは、機体前後方向に伸びている。また、底部スクリュー６Ｂの後端部は、穀粒排出装置７に接続している。
【００２９】
底部スクリュー６Ｂは、穀粒タンク６の内部における底部の穀粒を機体後方へ向けて搬送する。これにより、穀粒は穀粒排出装置７へ搬送される。そして、穀粒は、穀粒排出装置７によって機外へ排出される。
【００３０】
また、図３から図５に示すように、右壁部６１の外側面における下部には、第１被係合部６１ａ及び第２被係合部６１ｂが設けられている。第１被係合部６１ａは、第２被係合部６１ｂよりも前側に設けられている。尚、第１被係合部６１ａ及び第２被係合部６１ｂは、穀粒タンク６の一部である。
【００３１】
また、図３及び図７に示すように、コンバイン１は、カバー部材８を備えている。カバー部材８は、複数の分割カバー体９を有している。そして、複数の分割カバー体９には、着脱カバー体９２と、固定カバー体９１と、が含まれている。即ち、着脱カバー体９２及び固定カバー体９１は、何れも分割カバー体９である。
【００３２】
着脱カバー体９２は、前後方向に延びている。また、着脱カバー体９２は、穀粒タンク６及びロードセル２０の機体左右方向外側に位置している。より具体的には、着脱カバー体９２は、穀粒タンク６及びロードセル２０の右側に位置している。そして、着脱カバー体９２は、穀粒タンク６の下部を覆っている。
【００３３】
固定カバー体９１は、上下方向に延びている。そして、固定カバー体９１は、穀粒タンク６の後部を覆っている。また、固定カバー体９１は、穀粒タンク６の後壁部を構成している。即ち、固定カバー体９１は、穀粒タンク６の一部である。また、固定カバー体９１は、穀粒タンク６に固定されていると共に、穀粒タンク６に支持されている。
【００３４】
このように、コンバイン１は、穀粒タンク６を覆うカバー部材８を備えている。また、カバー部材８は、複数の分割カバー体９を有している。
【００３５】
〔カバー部材の支持構造について〕
図３及び図７に示すように、着脱カバー体９２は、第１バックル９２ａ、第２バックル９２ｂ、前端係合部９２ｃ、中間規制部９２ｄ、後端係合部９２ｅを有している。
【００３６】
第１バックル９２ａ及び第２バックル９２ｂは、着脱カバー体９２の上部に設けられている。また、第１バックル９２ａは、第２バックル９２ｂよりも前側に設けられている。
【００３７】
また、前端係合部９２ｃ、中間規制部９２ｄ、後端係合部９２ｅは、着脱カバー体９２の下部に設けられている。前端係合部９２ｃは、着脱カバー体９２の前端部に設けられている。後端係合部９２ｅは、着脱カバー体９２の後端部に設けられている。そして、中間規制部９２ｄは、着脱カバー体９２の前後方向における中間部に設けられている。
【００３８】
図３から図５に示すように、第１バックル９２ａは、第１被係合部６１ａに係合可能である。また、第２バックル９２ｂは、第２被係合部６１ｂに係合可能である。
【００３９】
また、図３、図４、図７に示すように、穀粒タンク６における前下壁部６３は、前端被係合部６３ａを有している。前端被係合部６３ａは、前下壁部６３の右端部に設けられている。そして、着脱カバー体９２における前端係合部９２ｃは、前端被係合部６３ａに係合可能である。前端係合部９２ｃが前端被係合部６３ａに係合されることにより、着脱カバー体９２における前端部は、穀粒タンク６に支持されることとなる。
【００４０】
また、図３、図６、図７に示すように、固定カバー体９１は、後端被係合部９１ａを有している。後端被係合部９１ａは、固定カバー体９１の下端部に設けられている。そして、着脱カバー体９２における後端係合部９２ｅは、後端被係合部９１ａに係合可能である。後端係合部９２ｅが後端被係合部９１ａに係合されることにより、着脱カバー体９２における後端部は、固定カバー体９１に支持されることとなる。
【００４１】
このように、着脱カバー体９２は、固定カバー体９１に支持されている。また、着脱カバー体９２における前端部及び後端部は、穀粒タンク６または固定カバー体９１に支持されている。
【００４２】
そして、以上で説明した構成により、着脱カバー体９２は着脱可能である。
【００４３】
着脱カバー体９２を装着する場合、作業者は、まず、前端係合部９２ｃ及び後端係合部９２ｅを、それぞれ、前端被係合部６３ａ及び後端被係合部９１ａに係合させる。そして、作業者は、第１バックル９２ａ及び第２バックル９２ｂを、それぞれ、第１被係合部６１ａ及び第２被係合部６１ｂに係合させる。このような手順により、着脱カバー体９２が装着される。
【００４４】
また、着脱カバー体９２を取り外す場合、作業者は、まず、第１バックル９２ａ及び第２バックル９２ｂを、それぞれ、第１被係合部６１ａ及び第２被係合部６１ｂから外す。そして、前端係合部９２ｃ及び後端係合部９２ｅを、それぞれ、前端被係合部６３ａ及び後端被係合部９１ａから離間させる。このような手順により、着脱カバー体９２が取り外される。
【００４５】
このように、複数の分割カバー体９には、着脱可能な分割カバー体９である着脱カバー体９２と、穀粒タンク６に固定された分割カバー体９である固定カバー体９１と、が含まれている。
【００４６】
ここで、図３から図７に示すように、固定カバー体９１及び着脱カバー体９２は、何れも、機体フレーム１０には支持されていない。そして、上述の通り、固定カバー体９１は、穀粒タンク６に支持されている。また、着脱カバー体９２の前端部は、穀粒タンク６に支持されている。
【００４７】
このように、カバー部材８は、機体フレーム１０に支持されない状態で、穀粒タンク６に支持されている。
【００４８】
〔係止機構について〕
図３、図５、図７に示すように、コンバイン１は、係止機構ＬＭを備えている。係止機構ＬＭは、上述の中間規制部９２ｄを含んでいる。また、機体フレーム１０は、係止部１０ａを有している。係止部１０ａは、係止機構ＬＭに含まれている。
【００４９】
図５に示すように、中間規制部９２ｄは、溝部Ｇを有している。そして、着脱カバー体９２が装着された状態において、係止部１０ａは、溝部Ｇによって左右から挟まれている。この構成により、着脱カバー体９２における中間部は、機体フレーム１０に係止される。即ち、係止機構ＬＭは、着脱カバー体９２における中間部を機体フレーム１０に係止する。また、係止機構ＬＭによって、着脱カバー体９２の機体左右方向の移動は規制される。
【００５０】
また、溝部Ｇは、着脱カバー体９２が装着された状態において、上下方向で係止部１０ａに接触しないように構成されている。従って、係止機構ＬＭによって、着脱カバー体９２の上下方向の移動は規制されない。即ち、着脱カバー体９２が装着された状態において、着脱カバー体９２は、機体フレーム１０に対して上下方向に自由移動する状態である。
【００５１】
この構成により、穀粒タンク６の荷重が中間規制部９２ｄを介して機体フレーム１０に作用する事態は回避される。
【００５２】
このように、コンバイン１は、着脱カバー体９２における中間部を、着脱カバー体９２が機体フレーム１０に対して上下方向に自由移動する状態で、着脱カバー体９２の機体左右方向の移動が規制されるように、機体フレーム１０に係止する係止機構ＬＭを備えている。
【００５３】
以上で説明した構成であれば、穀粒タンク６の荷重が、カバー部材８を介して機体フレーム１０に作用する事態を回避できる。これにより、ロードセル２０による測定精度が良好となる。
【００５４】
尚、以上に記載した実施形態は一例に過ぎないのであり、本発明はこれに限定されるものではなく、適宜変更が可能である。
【００５５】
〔その他の実施形態〕
（１）走行装置ＴＲは、ホイール式であっても良いし、セミクローラ式であっても良い。
【００５６】
（２）固定カバー体９１は、穀粒タンク６の後壁部とは別の部材であっても良い。即ち、固定カバー体９１は、穀粒タンク６に含まれていなくても良い。この場合、例えば、固定カバー体９１は、穀粒タンク６の後壁部に固定されると共に、穀粒タンク６の後壁部に支持されるように構成されていても良い。
【００５７】
（３）係止機構ＬＭは、設けられていなくても良い。
【００５８】
（４）カバー部材８は、１つのカバー体により構成されていても良い。
【００５９】
（５）カバー部材８は、穀粒タンク６の機体左右方向内側に位置していても良いし、穀粒タンク６の上側、下側、前側、後側の何れに位置していても良い。
【産業上の利用可能性】
【００６０】
本発明は、普通型のコンバインだけでなく、自脱型のコンバインにも利用可能である。
【符号の説明】
【００６１】
１      コンバイン
６      穀粒タンク
８      カバー部材
９      分割カバー体
１０    機体フレーム
２０    ロードセル
９１    固定カバー体
９２    着脱カバー体
ＬＭ    係止機構
【図１】
2019122332.tif 000003
【図２】
2019122332.tif 000004
【図３】
2019122332.tif 000005
【図４】
2019122332.tif 000006
【図５】
2019122332.tif 000007
【図６】
2019122332.tif 000008
【図７】
2019122332.tif 000009